(57)【要約】【課題】複数の電気機器の施工状態に関わらず、複数の電気機器の設置後に各電気機器の設置場所を特定する。【解決手段】作業者ＰがＩＣカードを認証装置５に予め決められた回数だけ連続してかざすと、認証装置５の位置情報はセンターサーバ４に送信される。センターサーバ４は、扉Ｄの位置情報を受信すると、受信した扉Ｄの位置情報を作業者位置情報として設定する。その後、作業者Ｐは、操作スイッチ２からの信号パターンが登録用信号パターンとなるように操作スイッチ２を操作する。コントローラ３は、操作スイッチ２からのオン信号及びオフ信号をセンターサーバ４に送信する。センターサーバ４は、コントローラ３からのオン信号及びオフ信号の信号パターンを検出し、検出した信号パターンが登録用信号パターンであると判定すると、作業者Ｐが操作した操作スイッチ２に対応する設備機器１の機器識別情報に、作業者位置情報を対応付けて記憶させる。【選択図】図１
2009239547.tif 000002
【特許請求の範囲】
【請求項１】
複数の電気機器と、それぞれが異なる電気機器のオンオフを切替操作するための複数の操作スイッチと、前記複数の電気機器及び前記複数の操作スイッチを管理する管理装置とを備える管理システムであって、
前記複数の操作スイッチのそれぞれは、対応する電気機器をオン状態にする操作がされるとオン信号を前記管理装置に送信し、対応する電気機器をオフ状態にする操作がされるとオフ信号を前記管理装置に送信し、
前記複数の電気機器のそれぞれは、前記管理装置からオン信号を受信するとオン状態になり、前記管理装置からオフ信号を受信するとオフ状態になり、
前記管理装置は、前記電気機器ごとに個別に与えられた機器識別情報を記憶する記憶手段と、前記操作スイッチから送信されたオン信号及びオフ信号を当該操作スイッチに対応する電気機器に送信する動作制御手段と、前記電気機器の設置場所の登録作業を行う作業者の位置に対応する作業者位置情報を設定する位置情報設定手段と、前記操作スイッチから送信されたオン信号及びオフ信号の信号パターンを検出する検出手段と、前記検出手段で検出された信号パターンが予め設定された登録用信号パターンであるか否かを判定する判定手段と、前記検出手段で検出された信号パターンが登録用信号パターンであると前記判定手段で判定された場合、当該信号パターンのオン信号及びオフ信号を送信した操作スイッチに対応する電気機器の機器識別情報に前記位置情報設定手段で設定された作業者位置情報を対応付けて前記記憶手段に記憶させる記憶制御手段とを有する
ことを特徴とする管理システム。
【請求項２】
前記位置情報設定手段は、出入口ごとに個人認証して人の出入りを管理する出入管理システムから、前記作業者が入った入口の位置情報を取得し前記作業者位置情報として設定することを特徴とする請求項１記載の管理システム。
【請求項３】
前記位置情報設定手段は、前記作業者位置情報が入力操作される操作部を有することを特徴とする請求項１記載の管理システム。
【請求項４】
前記位置情報設定手段は、前記作業者位置情報を新たに取得すると、これまでに設定されていた作業者位置情報から、取得した作業者位置情報に更新設定することを特徴とする請求項１乃至３の何れか１項に記載の管理システム。
【請求項５】
前記管理装置は、前記記憶制御手段による記憶制御が行われる登録モードと、前記記憶制御手段による記憶制御が停止される通常モードとを切り替えるモード切替手段を有し、
前記モード切替手段は、前記位置情報設定手段が前記作業者位置情報を設定したときに前記通常モードから前記登録モードに切り替え、前記位置情報設定手段が前記作業者位置情報を設定してから一定時間が経過すると前記登録モードから前記通常モードに切り替える
ことを特徴とする請求項１乃至４の何れか１項に記載の管理システム。
【発明の詳細な説明】
【技術分野】
【０００１】
本発明は、複数の電気機器を管理する管理システムに関するものである。
【背景技術】
【０００２】
従来、機器制御システムは、個別の器具識別情報を有する複数の電気機器と、これらの電気機器の設置場所を管理してオンオフ制御する管理装置とを備える（例えば特許文献１）。従来の管理システムにおいて、複数の電気機器を設置する場合、電気機器ごとに個別に与えられた器具識別情報と設置場所とを対応付けて記入された施工図に基づいて、複数の電気機器の設置工事を施工する。一方、管理装置には、施工図に記入された器具識別情報と設置場所とを対応付けた対応テーブルが記憶される。これにより、複数の電気機器が設置された後に、ある場所の電気機器をオン状態にしたい場合、従来の機器制御システムは、施工図に記入された情報に基づく上記対応テーブルを用いることによって、どの電気機器をオン状態にさせればよいのかが容易にわかる。
【特許文献１】特開２００４−１８０４１２号公報
【発明の開示】
【発明が解決しようとする課題】
【０００３】
従来の機器制御システムにおいて、複数の電気機器の設置工事は、例えば５階程度のビル１棟など比較的小規模な建物の場合、比較的少ない労力で行うことができた。
【０００４】
しかしながら、数十棟の建物や、建物間の土地に存在する公園や道路など、電気機器の設置対象範囲が単なる建物単位ではなく、さらに大規模な範囲にまで広がる場合、電気機器の施工時に配線を間違えて、施工図とは異なる施工状態となってしまうおそれがあった。通常、電気機器の配線の間違いは、電気機器の設置後に実際に点灯制御することによって発覚するため、配線が間違っていた電気機器を再度施工し直すという労力を要していた。このため、電気機器の設置工事を再施工することなく、電気機器の設置場所を正確に管理したいという要望があった。
【０００５】
本発明は上記の点に鑑みて為されたものであり、その目的は、複数の電気機器の施工状態に関わらず複数の電気機器の設置後に各電気機器の設置場所を特定することができる管理システムを提供することにある。
【課題を解決するための手段】
【０００６】
請求項１の発明は、複数の電気機器と、それぞれが異なる電気機器のオンオフを切替操作するための複数の操作スイッチと、前記複数の電気機器及び前記複数の操作スイッチを管理する管理装置とを備える管理システムであって、前記複数の操作スイッチのそれぞれが、対応する電気機器をオン状態にする操作がされるとオン信号を前記管理装置に送信し、対応する電気機器をオフ状態にする操作がされるとオフ信号を前記管理装置に送信し、前記複数の電気機器のそれぞれが、前記管理装置からオン信号を受信するとオン状態になり、前記管理装置からオフ信号を受信するとオフ状態になり、前記管理装置が、前記電気機器ごとに個別に与えられた機器識別情報を記憶する記憶手段と、前記操作スイッチから送信されたオン信号及びオフ信号を当該操作スイッチに対応する電気機器に送信する動作制御手段と、前記電気機器の設置場所の登録作業を行う作業者の位置に対応する作業者位置情報を設定する位置情報設定手段と、前記操作スイッチから送信されたオン信号及びオフ信号の信号パターンを検出する検出手段と、前記検出手段で検出された信号パターンが予め設定された登録用信号パターンであるか否かを判定する判定手段と、前記検出手段で検出された信号パターンが登録用信号パターンであると前記判定手段で判定された場合、当該信号パターンのオン信号及びオフ信号を送信した操作スイッチに対応する電気機器の機器識別情報に前記位置情報設定手段で設定された作業者位置情報を対応付けて前記記憶手段に記憶させる記憶制御手段とを有することを特徴とする。
【０００７】
請求項２の発明は、請求項１の発明において、前記位置情報設定手段が、出入口ごとに個人認証して人の出入りを管理する出入管理システムから、前記作業者が入った入口の位置情報を取得し前記作業者位置情報として設定することを特徴とする。
【０００８】
請求項３の発明は、請求項１の発明において、前記位置情報設定手段が、前記作業者位置情報が入力操作される操作部を有することを特徴とする。
【０００９】
請求項４の発明は、請求項１乃至３の何れか１項の発明において、前記位置情報設定手段が、前記作業者位置情報を新たに取得すると、これまでに設定されていた作業者位置情報から、取得した作業者位置情報に更新設定することを特徴とする。
【００１０】
請求項５の発明は、請求項１乃至４の何れか１項の発明において、前記管理装置が、前記記憶制御手段による記憶制御が行われる登録モードと、前記記憶制御手段による記憶制御が停止される通常モードとを切り替えるモード切替手段を有し、前記モード切替手段が、前記位置情報設定手段が前記作業者位置情報を設定したときに前記通常モードから前記登録モードに切り替え、前記位置情報設定手段が前記作業者位置情報を設定してから一定時間が経過すると前記登録モードから前記通常モードに切り替えることを特徴とする。
【発明の効果】
【００１１】
請求項１の発明によれば、操作スイッチから信号パターンが登録用信号パターンとなるように作業者によって操作スイッチが操作されることによって、作業者の作業位置つまり電気機器の設置場所を特定することができる。その結果、複数の電気機器の施工状態に関わらず、複数の電気機器の設置後に各電気機器の設置場所を特定することができる。
【００１２】
請求項２の発明によれば、電気機器とは互いに独立の運用システムである出入管理システムの個人認証を利用して、作業者位置情報を設定することができる。
【００１３】
請求項３の発明によれば、管理装置側で作業者位置情報を設定することによって、作業者は実際の作業場所で操作スイッチへの操作だけを行えば、電気機器の設置場所を特定することができる。
【００１４】
請求項４の発明によれば、作業者の作業位置が変わったときに、新しい作業位置に対応する作業者位置情報を設定することができる。
【００１５】
請求項５の発明によれば、登録モードと通常モードとを切り替えることができ、一定時間が経過すると通常モードに戻すことができるので、作業者が登録モードにしたままで忘れてしまったとしても通常モードにすることができる。
【発明を実施するための最良の形態】
【００１６】
（実施形態１）
まず、実施形態１の機器制御システム（管理システム）の構成について図１〜４を用いて説明する。この機器制御システムは、図１に示すように、ビルや公園など複数のエリアＡ１〜Ａ４ごとに機器制御を行うものであり、複数の設備機器（電気機器）１，１・・・と、それぞれが異なる設備機器１のオンオフを切替操作するための複数の操作スイッチ２，２・・・と、エリアＡ１〜Ａ４ごとに複数の設備機器１，１・・・及び複数の操作スイッチ２，２・・・を管理するコントローラ３，３と、各コントローラ３を管理するセンターサーバ４とを備えている。設備機器１としては、例えば照明器具や空調機器などがある。各コントローラ３，３とセンターサーバ４は通信網ＮＴによって接続されている。通信網ＮＴとしては、例えばＩＰｖ６規格のＬＡＮなどが用いられる。コントローラ３，３とセンターサーバ４によって管理装置が構成される。
【００１７】
一方、上記機器制御システムとは別に、各エリアＡ１〜Ａ４の扉ＤやゲートＧごとに個人認証する認証装置５が設置された出入管理システムが構築されている。この出入管理システムは、各認証装置５において人の出入りを管理する。
【００１８】
各認証装置５は、図２に示すように、扉ＤやゲートＧ（図１参照）ごとに設けられ、個人認証するための情報をＩＤカード（図示せず）から読み取る読取部５０と、読取部５０で読み取られた情報を解析して個人認証する解析部５１と、通信網ＮＴ（図１参照）を介してセンターサーバ４（図１参照）に情報を送信する送信部５２とを備えている。認証装置５には、出入口から入場（入室）する際に用いられる入場側認証装置５ａと、出入口から退場（退室）する際に用いられる退場側認証装置５ｂとがある（図１参照）。
【００１９】
このような認証装置５において、解析部５１は、読取部５０で予め決められた回数だけ連続してＩＣカードから情報を読み取ると、作業者Ｐが設備機器１の設置場所の登録作業を行うことを認証する。
【００２０】
送信部５２は、作業者Ｐが設備機器１の設置場所の登録作業を行うことが解析部５１で認証されると、通信網ＮＴを介して自己の位置情報をセンターサーバ４に送信する。
【００２１】
図１に示す各操作スイッチ２は、対応する設備機器１をオン状態にする操作がされるとオン信号をコントローラ３に送信し、対応する設備機器１をオフ状態にする操作がされるとオフ信号をコントローラ３に送信する。
【００２２】
各設備機器１は、コントローラ３からオン信号を受信するとオン状態になり、コントローラ３からオフ信号を受信するとオフ状態になる。
【００２３】
各コントローラ３は、図３に示すように、設備機器１及び操作スイッチ２（図１参照）との間で通信を行う第１の通信部３０と、通信網ＮＴ（図１参照）を介してセンターサーバ４（図１参照）との間で通信を行う第２の通信部３１と、設備機器１の動作を制御する動作制御部（動作制御手段）３２とを備えている。
【００２４】
動作制御部３２は、操作スイッチ２から送信されたオン信号が第１の通信部３０で受信された場合、上記操作スイッチ２に対応する設備機器１にオン信号を第１の通信部３０から送信させて、上記設備機器１をオン状態に制御する。一方、操作スイッチ２から送信されたオフ信号が第１の通信部３０で受信された場合、動作制御部３２は、上記操作スイッチ２に対応する設備機器１にオフ信号を第１の通信部３０から送信させて、上記設備機器１をオフ状態に制御する。
【００２５】
また、動作制御部３２は、センターサーバ４から送信されたオン信号が第２の通信部３１で受信された場合、上記オン信号の通信アドレスの設備機器１にオン信号を第１の通信部３０から送信させて、上記設備機器１をオン状態に制御する。一方、センターサーバ４から送信されたオフ信号が第２の通信部３１で受信された場合、動作制御部３２は、上記オフ信号の通信アドレスの設備機器１にオフ信号を第１の通信部３０から送信させて、上記設備機器１をオフ状態に制御する。
【００２６】
センターサーバ４は、図４に示すように、設備機器１（図１参照）ごとに個別に与えられた機器識別情報を記憶する記憶部（記憶手段）４０と、通信網ＮＴ（図１参照）に接続される機器に信号を送信する送信部４１と、通信網ＮＴに接続される機器から信号を受信する受信部４２と、設備機器１の設置場所の登録作業を行う作業者Ｐの位置に対応する作業者位置情報を設定する位置情報設定部（位置情報設定手段）４３と、操作スイッチ２から送信されたオン信号及びオフ信号の信号パターンを検出する検出部（検出手段）４４と、検出部４４で検出された信号パターンが予め設定された登録用信号パターンであるか否かを判定する判定部（判定手段）４５と、検出部４４で検出された信号パターンが登録用信号パターンであると判定部４５で判定された場合、上記信号パターンのオン信号及びオフ信号を送信した操作スイッチ２に対応する設備機器１の機器識別情報に位置情報設定部４３で設定された作業者位置情報を対応付けて記憶部４０に記憶させる制御部（記憶制御手段）４６とを備えている。また、センターサーバ４は、制御部４６による記憶制御が行われる登録モードと、制御部４６による記憶制御が停止される通常モードとを切り替えるモード切替部（モード切替手段）４７を備えている。
【００２７】
位置情報設定部４３は、出入管理システムの認証装置５から、作業者Ｐが入った入口の位置情報を取得し、取得した位置情報を作業者位置情報として設定する。また、位置情報設定部４３は、作業者位置情報を新たに取得すると、これまでに設定されていた作業者位置情報から、取得した作業者位置情報に更新設定する。
【００２８】
モード切替部４７は、位置情報設定部４３が作業者位置情報を設定したときに通常モードから登録モードに切り替え、位置情報設定部４３が作業者位置情報を設定してから一定時間が経過すると登録モードから通常モードに切り替える。
【００２９】
次に、本実施形態の機器制御システムの動作について図５〜７を用いて説明する。まず、図５に示すように、作業者Ｐ（図１参照）がＩＣカード（図示せず）を入場側認証装置５ａに予め決められた回数だけ連続してかざす。入場側認証装置５ａは、予め決められた回数だけ連続してＩＣカードがかざされると、作業者Ｐが設備機器１の設置場所の登録作業を行うことを認証する。入場側認証装置５ａの認証結果は認証用コントローラ（図示せず）に出力される。認証用コントローラは、入場側認証装置５ａから認証結果が入力されると、扉Ｄ（ゲートＧ）に設けられた電気錠（図示せず）を開状態にする。作業者Ｐは扉Ｄ（ゲートＧ）を開けて中に入る。このとき、開閉センサ（図示せず）は、扉Ｄ（ゲートＧ）が開いたことを検出し、検出結果を認証用コントローラに出力する。認証用コントローラは、検出結果が入力されると、自己の位置情報をセンターサーバ４に送信する。扉Ｄ（ゲートＧ）が閉まった後、電気錠は閉状態になる。
【００３０】
センターサーバ４は、扉Ｄ（ゲートＧ）の位置情報を受信すると、通常モードから登録モードに切り替え、受信した扉Ｄ（ゲートＧ）の位置情報を作業者位置情報として設定する。
【００３１】
その後、図６に示すように、作業者Ｐは、操作スイッチ２からの信号パターンが登録用信号パターンとなるように操作スイッチ２のオンオフを切り替える。作業者Ｐが操作した操作スイッチ２に対応する設備機器１は、操作スイッチ２の操作に応じてオンオフする。このとき、コントローラ３は、操作スイッチ２からのオン信号及びオフ信号をセンターサーバ４に送信する。
【００３２】
センターサーバ４は、コントローラ３からのオン信号及びオフ信号の信号パターンを検出する。その後、センターサーバ４は、検出した信号パターンが登録用信号パターンであると判定すると、作業者Ｐが操作した操作スイッチ２に対応する設備機器１の機器識別情報に、作業者位置情報を対応付けて記憶させる。その後、センターサーバ４は、設備機器１の設置場所の登録が完了したことを表わす完了信号をコントローラ３に送信する。コントローラ３は、センターサーバ４からの完了信号を設備機器１に送信する。
【００３３】
設備機器１は、完了信号を受信すると、ＬＥＤ（図示せず）を点滅させる。ＬＥＤの点滅によって、設備機器１の設置場所の登録が完了したことを作業者Ｐに知らせることができる。
【００３４】
他の設備機器１（図４の設備機器（２））に対しても、上記と同様に、作業者Ｐは、他の設備機器１に対応する操作スイッチ２（図４の操作スイッチ（２））からの信号パターンが登録用信号パターンとなるように操作スイッチ２のオンオフを切り替える。
【００３５】
その後、センターサーバ４は、検出した信号パターンが登録用信号パターンであると判定し、他の電気機器１の機器識別情報に、作業者位置情報を対応付けて記憶させる。その後、センターサーバ４は、登録完了を表わす完了信号を他の電気機器１に送信する。
【００３６】
その後、図７に示すように、作業者ＰがＩＣカードを退場側認証装置５ｂに予め決められた回数だけ連続してかざす。退場側認証装置５ｂは、予め決められた回数だけ連続してＩＣカードがかざされると、作業者Ｐが外に出ることを認証する。退場側認証装置５ｂの認証結果は認証用コントローラ（図示せず）に出力される。認証用コントローラは、認証結果が入力されると、電気錠を開状態にする。作業者Ｐは扉Ｄ（ゲートＧ）を開けて外に出る。このとき、開閉センサは、扉Ｄ（ゲートＧ）が開いたことを検出し、認証用コントローラを介して検出結果をセンターサーバ４に送信する。センターサーバ４は、登録モードから通常モードに切り替える。
【００３７】
また、他の例として、作業者ＰがＩＣカードを退場側認証装置５ｂではなく、隣の部屋の入場側認証装置５ａに予め決められた回数だけ連続してかざすと、入場側認証装置５ａは、隣の部屋に作業者Ｐが入ることを認証する。入場側認証装置５ａの認証結果は認証用コントローラ（図示せず）に出力される。認証用コントローラは、認証結果が入力されると、電気錠を開状態にする。作業者Ｐは扉Ｄ（ゲートＧ）を開けて隣の部屋に入る。このとき、開閉センサは、扉Ｄ（ゲートＧ）が開いたことを検出し、認証用コントローラを介して検出結果をセンターサーバ４に送信する。センターサーバ４は、登録モードを継続したままで作業者位置情報を変更する。その後、隣の部屋において、作業者Ｐは、電気機器１の設置場所の特定作業を行う。
【００３８】
各設備機器１の機器識別情報と設置場所情報とを対応付けて管理するセンターサーバ４は、各設備機器１を制御するために、設備機器１の機器識別情報ごとに通信アドレスが対応付けられたアドレステーブルを記憶部４０（図４参照）に記憶している。したがって、ある場所の設備機器１をオン状態にしたい場合、図４に示すセンターサーバ４の制御部４６は、記憶部４０に記憶されているアドレステーブルを用いて、上記の場所に設置されている設備機器１の通信アドレスのオン信号を送信部４１から送信させる。図３に示すコントローラ３は、センターサーバ４から上記オン信号を受信すると、受信したオン信号の通信アドレスに対応する設備機器１にオン信号を送信する。図１に示す設備機器１は、コントローラ３からオン信号を受信するとオン状態になる。
【００３９】
以上、本実施形態によれば、操作スイッチ２から信号パターンが登録用信号パターンとなるように作業者Ｐによって操作スイッチ２が操作されることによって、作業者Ｐの作業位置つまり設備機器１の設置場所を特定することができる。その結果、複数の設備機器１，１・・・の施工状態に関わらず、複数の設備機器１，１・・・の設置後に各設備機器１の設置場所を特定することができる。つまり、設備機器１の配線を誤って接続された場合であっても、設備機器１の固有の通信アドレスと実際の設置場所とを確実に対応付けて管理することができる。
【００４０】
また、設備機器１とは互いに独立の運用システムである出入管理システムの個人認証を利用して、作業者位置情報を設定することができる。
【００４１】
さらに、本実施形態によれば、作業者Ｐの作業位置が変わったときに、新しい作業位置に対応する作業者位置情報を設定することができる。
【００４２】
また、登録モードと通常モードとを切り替えることができ、一定時間が経過すると通常モードに戻すことができるので、作業者Ｐが登録モードにしたままで忘れてしまったとしても通常モードにすることができる。
【００４３】
なお、実施形態１では、作業者Ｐが確実に入ったことを確認するために、扉Ｄ（ゲートＧ）が開いたという検出結果がセンターサーバ４に送信されているが、上記検出結果がセンターサーバ４に送信されない構成であってもよい。つまり、センターサーバ４の位置情報設定部４３は、認証装置５の送信部５２からの位置情報を取得した時点で、取得した位置情報を作業者位置情報と設定するようにしてもよい。この構成では、開閉センサを必ずしも設ける必要がないため、システム構成を簡単にすることができる。
【００４４】
（実施形態２）
実施形態２の機器制御システムは、図８に示すように、センターサーバ４の位置情報設定部４３が、作業者位置情報が入力操作される操作部４３０を備える点で、実施形態１の機器制御システムと相違する。つまり、本実施形態では、認証装置５の位置情報を用いるのではなく、操作部４３０を用いて作業者位置情報を設定する。なお、実施形態１と同様の構成要素については、同一の符号を付して説明を省略する。
【００４５】
次に、本実施形態の機器制御システムの動作について説明する。まず、センターサーバ４の操作部４３０から作業者位置情報が入力されると、モード切替部４７は、通常モードから登録モードに切り替える。また、位置情報設定部４３は、操作部４３０から入力された作業者位置情報を設定する。続いて、実施形態１と同様にして各設備機器１に対応する操作スイッチ２を制御して、各設備機器１の設置場所を特定する（図６参照）。
【００４６】
以上、本実施形態によれば、請求項３の発明によれば、センターサーバ４側で作業者位置情報を設定することによって、作業者Ｐは実際の作業場所で操作スイッチ２への操作だけを行えば、設備機器１の設置場所を特定することができる。
【図面の簡単な説明】
【００４７】
【図１】実施形態１，２の概略図である。
【図２】同上に係る認証装置の構成を示すブロック図である。
【図３】同上に係るコントローラの構成を示すブロック図である。
【図４】実施形態１に係るセンターサーバの構成を示すブロック図である。
【図５】同上に係る機器制御システムにおいて作業者位置情報を設定するまでの動作を説明する図である。
【図６】同上に係る機器制御システムにおいて電気機器の設置場所を特定する動作を説明する図である。
【図７】同上に係る機器制御システムにおいて通常モードに戻るまでの動作を説明する図である。
【図８】実施形態２に係るセンターサーバの構成を示すブロック図である。
【符号の説明】
【００４８】
１  設備機器
２  操作スイッチ
３  コントローラ
３２  動作制御部
４  センターサーバ
４０  記憶部
４３  位置情報設定部
４３０  操作部
４４  検出部
４５  判定部
４６  制御部
４７  モード切替部
５  認証装置
Ｐ  作業者
【図１】
2009239547.tif 000003
【図２】
2009239547.tif 000004
【図３】
2009239547.tif 000005
【図４】
2009239547.tif 000006
【図５】
2009239547.tif 000007
【図６】
2009239547.tif 000008
【図７】
2009239547.tif 000009
【図８】
2009239547.tif 000010